【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
医療処理システムにおいて医療データを強調する方法であって、
前記医療処理システムにより医療データの参照セットを受信する段階、
強調される領域に対応する領域識別子を受信する段階、
強調選択を受信する段階、
前記受信された領域識別子および前記受信された強調選択に基づいてデータの目標セットを特定する段階、
前記医療処理システムにより、前記データの目標セットに関する前記強調選択に対応する強調を実行する段階、および
ユーザに対して前記強調された目標セットを表示する段階
を備える方法。
【請求項２】
第１のユーザ・ディスプレイに前記医療データの参照セットを表示する段階
をさらに備え、
前記強調された目標セットを表示する段階は、第２のユーザ・ディスプレイに前記データの強調された目標セットを表示する段階を含み、前記第２のユーザ・ディスプレイは前記第１のユーザ・ディスプレイとは異なる、
請求項１に記載の方法。
【請求項３】
前記医療データの参照セットは第１のモダリティに対応し、
前記データの目標セットは第２のモダリティに対応するデータを含み、前記第２のモダリティは前記第１のモダリティとは異なる、
請求項１に記載の方法。
【請求項４】
前記強調を前記実行する段階は、ズーミング、解像度の増加、解像度の減少、再サンプリング、距離の測定、面積の測定、体積の測定および前記データの目標セットの変化率の測定の少なくとも一を含む、請求項１に記載の方法。
【請求項５】
前記強調を前記実行する段階は、
前記領域識別子および前記強調選択の少なくとも一に基づいて処理パラメータの変更を決定する段階、および
前記処理パラメータに前記変更を適用する段階
を備える、請求項１に記載の方法。
【請求項６】
前記領域識別子を前記受信する段階は、ユーザ入力装置から領域識別子入力を受信する段階を含む、請求項１に記載の方法。
【請求項７】
前記領域識別子を前記受信する段階は、前記医療処理システムのワークフロー・コンポーネントから前記領域識別子を受信する段階を含み、
前記領域識別子は、前記医療データの参照セットにおける対象点に注目するように構成される、
請求項１に記載の方法。
【請求項８】
前記強調選択を受信する段階は、ユーザ入力装置から強調選択入力を受信する段階を含む、請求項１に記載の方法。
【請求項９】
医療処理システムにおけるデータ測定の方法であって、
前記医療処理システムにより医療データの参照セットを受信する段階、
前記医療データの参照セットに関連する位置マーカを受信する段階、
測定選択を受信する段階、
前記受信された医療データの参照セット、前記位置マーカおよび前記測定選択に基づいてデータの目標セットを特定する段階、
前記医療処理システムにより、測定値を決定するように前記データの目標セットに関する前記測定選択に対応する測定操作を実行する段階、および
ユーザに対して前記医療データの目標セットおよび前記測定値を表示する段階
を備える方法。
【請求項１０】
前記医療データの参照セットは第１のモダリティに対応し、
前記データの目標セットは第２のモダリティに対応するデータを含み、前記第２のモダリティは前記第１のモダリティとは異なる、
請求項９に記載の方法。
【請求項１１】
前記測定操作を前記実行する段階は、距離測定、面積測定、体積測定、変化率測定およびピンポイント測定の少なくとも一を含む、請求項９に記載の方法。
【請求項１２】
前記測定を前記実行する段階は、複数のモダリティにわたって相互参照データをさらに含む、請求項１１に記載の方法。
【請求項１３】
前記測定を前記実行する段階は、変換係数を受信する段階と、前記測定値を決定するように前記変換係数を用いる段階とを含む、請求項９に記載の方法。
【請求項１４】
前記位置マーカを前記受信する段階は、ユーザ入力装置から前記位置マーカを受信する、請求項９に記載の方法。
【請求項１５】
前記位置マーカを前記受信する段階は、
ユーザ入力装置からユーザ入力を受信する段階と、
前記医療処理システムのモジュールから対象点を受信する段階と、
前記ユーザ入力および前記対象点に基づいて前記位置マーカを決定する段階と
を含む、請求項９に記載の方法。
【請求項１６】
少なくとも１つのコンピュータ・プロセッサが実行する複数の命令を記憶する非一時的コンピュータ可読媒体を備える装置であって、前記命令は、
第１のユーザ・ディスプレイで医療データの参照セットを表示し、
前記医療データの参照セットの一部の強調のためのユーザ入力を受信し、
前記受信されたユーザ入力に基づいてデータの目標セットを決定し、
前記受信されたユーザ入力に基づいて前記目標セットの一部を強調し、
第２のユーザ・ディスプレイで前記強調されたデータの目標セットを表示する
ためのものである、装置。
【請求項１７】
前記医療データの参照セットは第１のモダリティに対応し、
前記データの目標セットは第２のモダリティに対応するデータを含み、前記第２のモダリティは前記第１のモダリティとは異なる、
請求項１６に記載の装置。
【請求項１８】
前記媒体は、前記データの目標セットの強調された一部のトランザクション記録を記憶するための命令をさらに記憶する、請求項１６に記載の装置。
【請求項１９】
前記媒体は、前記コンピュータ・プロセッサの以前の状態を回復させるように前記トランザクション記録を用いるための命令をさらに記憶する、請求項１８に記載の装置。
【請求項２０】
前記媒体は、
前記受信されたユーザ入力に基づいて後続のデータ・セットを捕捉し、
前記データの目標セットに前記後続のデータ・セットを含める
ための命令をさらに記憶する、請求項１６に記載の装置。
【請求項２１】
前記媒体は、前記データの目標セットからデータを選択するための命令をさらに記憶する、請求項１６に記載の装置。
【請求項２２】
前記データの目標セットからデータを選択するための前記命令は、前記受信されたユーザ入力に対応する対象の領域の外部のデータを選択するように構成された、請求項２１に記載の装置。
【請求項２３】
前記媒体は、領域識別子フォーマットからデータ・フォーマットに前記ユーザ入力を変換するための命令をさらに記憶する、請求項１６に記載の装置。
【請求項２４】
前記ユーザ入力を変換するための前記命令は、スケール変換、座標変換および形状変換のうちの少なくとも一を実行するための命令を含む、請求項２３に記載の装置。
【請求項２５】
医療処理システムにおいて医療データをナビゲートする方法であって、
前記医療処理システムにより医療データの参照セットを受信する段階であって、前記医療データは、ＦＦＲ、ｉＦＲ、圧力、流れ、ＩＶＵＳおよびＯＣＴから成るモダリティの群から選択された第１のモダリティに対応する、段階、
前記医療処理システムによりナビゲーション・コマンドを受信する段階、
前記ナビゲーション・コマンドに基づいて実行する強調を特定する段階、
前記ナビゲーション・コマンドに基づいて前記医療データの参照セットのサブセットを特定する段階、
前記医療処理システムにより前記サブセットの前記強調を実行する段階、ならびに
前記強調されたサブセットを表示する段階
を備える方法。
【請求項２６】
前記ナビゲーション・コマンドは、第２のモダリティに対応する医療データの追加のセットを指定し、前記第２のモダリティは前記第１のモダリティとは異なる、請求項２５に記載の方法。
【請求項２７】
前記ナビゲーション・コマンドを前記受信する段階は、
前記医療処理システムのジェスチャ認識モジュールによりユーザ入力シーケンスを受信する段階と、
前記ユーザ入力シーケンスを前記ナビゲーション・コマンドに翻訳する段階と
を含む、請求項２５に記載の方法。
【請求項２８】
前記ユーザ入力シーケンスは、第２のタッチベースの入力と同時の第１のタッチベースの入力を示す、請求項２７に記載の方法。
【請求項２９】
前記ナビゲーション・コマンドは、前記第１のタッチベースの入力に対応するサブセットに対する第１の境界と前記第２のタッチベースの入力に対応するサブセットに対する第２の境界とを指定する、請求項２８に記載の方法。
【請求項３０】
ディスプレイ装置に医療データの参照セットを表示する段階、および
ナビゲーション・コマンドに基づいて前記ディスプレイ装置に前記医療データの参照セットを前記表示することを更新する段階
をさらに備える、請求項１に記載の方法。
【請求項３１】
前記表示することを前記更新する段階は、サブセットの境界を表示する段階を含む、請求項３０に記載の方法。
【請求項３２】
前記表示することを前記更新する段階は、ブックマーク位置を表すアイコンを表示する段階を含む、請求項３０に記載の方法。
【請求項３３】
前記強調されたサブセットのトランザクション記録を記憶する段階をさらに備える、請求項２５に記載の方法。
【請求項３４】
前記トランザクション記録は、以前の状態を回復させて、医療データの後続のセットに以前のデータ・セット、領域選択、強調およびパラメータのうち１つを適用するように構成されたブックマークを含む、請求項３３に記載の方法。
【請求項３５】
前記強調を前記実行する段階は、前記サブセットに関する一軸ズームを実行する段階を含む、請求項２５に記載の方法。
【請求項３６】
少なくとも１つのコンピュータ・プロセッサが実行する複数の命令を記憶する非一時的コンピュータ可読記憶媒体を備える装置であって、前記命令は、
ＦＦＲ、ｉＦＲ、圧力、流れ、ＩＶＵＳおよびＯＣＴから成るモダリティの群から選択された第１のモダリティに対応する医療データの参照セットを受信し、
ナビゲーション・コマンドを受信し、
前記ナビゲーション・コマンドにより指定された前記参照セットのサブセットに関する強調を実行し、
表示のために前記強調されたサブセットを提供する
ためのものである、装置。
【請求項３７】
前記ナビゲーション・コマンドは、第２のモダリティに対応する医療データの追加のセットを指定し、前記第２のモダリティは前記第１のモダリティとは異なる、請求項３６に記載の装置。
【請求項３８】
前記ナビゲーション・コマンドの前記受信のための前記命令は、
第２のタッチベースの入力と同時の第１のタッチベースの入力を示すユーザ入力シーケンスを受信し、
前記ユーザ入力シーケンスを前記ナビゲーション・コマンドに翻訳し、前記ナビゲーション・コマンドは、前記第１のタッチベースの入力に対応するサブセットに対する第１の境界と前記第２のタッチベースの入力に対応するサブセットに対する第２の境界とを指定する
ための命令を含む、請求項３６に記載の装置。
【請求項３９】
前記命令は、前記ナビゲーション・コマンドに基づいて前記参照セットの表示のための更新を提供する命令をさらに含む、請求項３６に記載の装置。
【請求項４０】
前記表示の前記更新は、前記サブセットの境界の表現を含む、請求項３９に記載の装置。
【請求項４１】
前記表示の前記更新は、ブックマーク位置を表すアイコンを含む、請求項３９に記載の装置。
【請求項４２】
前記命令は、前記強調の前記実行のトランザクション記録を記憶することをさらに含み、前記トランザクション記録は、以前の状態を回復させて、媒体データの後続のセットに、以前のデータ・セット、領域選択、強調およびパラメータのうち１つ又は複数を適用するように構成されたブックマークを含む、請求項３６に記載の装置。
【請求項４３】
前記強調を実行する命令は、前記サブセットに一軸ズームを実行する命令を含む、請求項３６に記載の装置。
【請求項４４】
医療データの参照セットを受信するように構成された医療データ・インタフェースであって、前記医療データは、ＦＦＲ、ｉＦＲ、圧力、流れ、ＩＶＵＳおよびＯＣＴから成るモダリティの群から選択された第１のモダリティに対応する、医療データ・インタフェースと、
コントローラからナビゲーション・コマンドを受信し、
前記ナビゲーション・コマンドに基づいて実行する強調を特定し、
前記ナビゲーション・コマンドに基づいて強調する前記医療データの参照セットのサブセットを特定し、
前記特定されたサブセットに前記特定された強調を実行し、
表示のために前記強調されたサブセットを提供する
ように構成されたナビゲータ・エンジンと
を備えた医療処理システム。